(57)【要約】【課題】エレベータで異常が発生した際の乗りかご内の撮像情報を、簡易かつ確実に再生させることが可能なエレベータ監視装置およびエレベータ監視方法を提供する。【解決手段】実施形態によればエレベータ監視装置は、エレベータの乗りかご内を撮影する監視カメラ装置と、エレベータ内で異常が発生したときに動作してエレベータを停止させる保護回路とに接続され、撮像情報記憶部と特定撮像情報取得部と特定撮像情報記憶部とを備える。撮像情報記憶部は、監視カメラ装置で撮影された撮像情報を記憶する。特定撮像情報取得部は、保護回路が動作すると、撮像情報記憶部に記憶された中から、当該動作時の第１期間前から第２期間後までの撮像情報を、保護回路動作時の特定撮像情報として取得する。特定撮像情報記憶部は、特定撮像情報取得部で取得された撮像情報を記憶する。【選択図】図１
2020045236.tif 000002
【特許請求の範囲】
【請求項１】
エレベータの乗りかご内を撮影する監視カメラ装置と、前記エレベータ内で異常が発生したときに動作して前記エレベータを停止させる保護回路とに接続され、
前記監視カメラ装置で撮影された撮像情報を記憶する撮像情報記憶部と、
前記保護回路が動作すると、前記撮像情報記憶部に記憶された中から、当該動作時の第１期間前から第２期間後までの撮像情報を、前記保護回路動作時の特定撮像情報として取得する特定撮像情報取得部と、
前記特定撮像情報取得部で取得された特定撮像情報を記憶する特定撮像情報記憶部と
を備えることを特徴とするエレベータ監視装置。
【請求項２】
前記乗りかごに乗車している人を検出する乗車検出装置に接続されるとともに、前記エレベータから遠隔地に設置されたサービスセンタ装置に接続され、
前記保護回路が動作したときに、前記乗車検出装置で前記乗りかごに乗車している人が検出されていた場合には、前記特定撮像情報記憶部に記憶された特定撮像情報を、前記サービスセンタ装置に送信する特定撮像情報送信部
をさらに備えることを特徴とする請求項１に記載のエレベータ監視装置。
【請求項３】
前記乗車検出装置は、人感センサまたは荷重検知装置で構成される
ことを特徴とする請求項２に記載のエレベータ監視装置。
【請求項４】
前記特定撮像情報取得部は、前記保護回路が動作したときに、前記乗車検出装置で前記乗りかごに乗車している人が検出されていた場合には、前記第１期間よりも長い第３期間前から、前記撮像情報を取得する
ことを特徴とする請求項２または３に記載のエレベータ監視装置。
【請求項５】
エレベータの乗りかご内を撮影する監視カメラ装置で撮影された撮像情報を記憶し、
前記エレベータ内で異常が発生したときに動作して前記エレベータを停止させる保護回路が動作すると、記憶された中から、当該動作時の第１期間前から第２期間後までの撮像情報を、前記保護回路動作時の特定撮像情報として取得して記憶する
ことを特徴とするエレベータ監視方法。
【発明の詳細な説明】
【技術分野】
【０００１】
本発明の実施形態は、エレベータ監視装置およびエレベータ監視方法に関する。
【背景技術】
【０００２】
エレベータの制御盤には、異常発生時にエレベータを停止させるための保護回路が設けられている。この保護回路が動作したときに、保守員は該当時の乗りかご内の状況を確認するために、乗りかご内を撮影した監視カメラ装置の撮像情報を再生させる。
【先行技術文献】
【特許文献】
【０００３】
【特許文献１】特開２００１−６０７１号公報
【特許文献２】特開２００６−１６６２４０号公報
【発明の概要】
【発明が解決しようとする課題】
【０００４】
異常発生時の撮像情報を再生させるには、保守員が異常発生時の日時を指定することで、監視カメラ装置の録画情報の中から該当箇所の撮像情報部分を検索する。しかし、制御盤と監視カメラ装置との間で設定日時にずれがある場合には、当該操作からは所望の撮像情報部分を検索できない場合があるという問題があった。
【０００５】
また、監視カメラ装置によっては、乗りかご内に人がいることが検出されたときにのみ撮像処理を行うように設定されているものものあり、この場合、人がいない乗りかご内で発生した異常により保護回路が動作したときには、後から該当時の乗りかご内の撮像情報を視認することができないという問題があった。
【０００６】
本発明は上記事情に鑑みてなされたものであり、エレベータで異常が発生した際の乗りかご内の撮像情報を、簡易かつ確実に再生させることが可能なエレベータ監視装置およびエレベータ監視方法の提供を目的とする。
【課題を解決するための手段】
【０００７】
上記目的を達成するための実施形態によればエレベータ監視装置は、エレベータの乗りかご内を撮影する監視カメラ装置と、エレベータ内で異常が発生したときに動作してエレベータを停止させる保護回路とに接続され、撮像情報記憶部と特定撮像情報取得部と特定撮像情報記憶部とを備える。撮像情報記憶部は、監視カメラ装置で撮影された撮像情報を記憶する。特定撮像情報取得部は、保護回路が動作すると、撮像情報記憶部に記憶された中から、当該動作時の第１期間前から第２期間後までの撮像情報を、保護回路動作時の特定撮像情報として取得する。特定撮像情報記憶部は、特定撮像情報取得部で取得された撮像情報を記憶する。
【図面の簡単な説明】
【０００８】
【図１】一実施形態によるエレベータ監視装置を利用したエレベータシステムの構成を示す全体図。
【図２】一実施形態によるエレベータ監視装置の動作を示すフローチャート。
【発明を実施するための形態】
【０００９】
〈一実施形態によるエレベータ監視装置を利用したエレベータシステムの構成〉
本発明の一実施形態によるエレベータシステムの構成について、図１を参照して説明する。本実施形態によるエレベータシステム１は、建物内に設置されたエレベータ１０と、エレベータ１０に通信ネットワーク２０を介して接続され、当該建物から遠隔地にあるサービスセンタに設置されたサービスセンタ装置３０とを備える。
【００１０】
エレベータ１０は、建物内の昇降路上部に設置された巻上げ機１１と、巻上げ機１１に掛け渡されたロープ１２に吊り下げられた乗りかご１３と、昇降路上部に設置され、乗りかご１３にテールコード１４で接続されたエレベータ制御装置１５とを有する。乗りかご１３には、乗りかご１３内を撮影する監視カメラ装置１３１と、乗りかご１３に乗車している人を検出する乗車検出装置としての人感センサ１３２とが設置されている。
【００１１】
エレベータ制御装置１５は、動作制御部１５１と、保護回路１５２と、エレベータ監視装置としてのエレベータ監視部１５３と、出力部１５４とを有する。動作制御部１５１は、エレベータ１０内の各機器の動作を制御する。保護回路１５２は、エレベータ１０内で異常が発生したことを検出したときに動作して巻上げ機１１を停止させることで乗りかご１３の昇降を停止させる。
【００１２】
エレベータ監視部１５３は、撮像情報取得部１５３ａと、撮像情報記憶部１５３ｂと、特定撮像情報取得部１５３ｃと、特定撮像情報記憶部１５３ｄと、特定撮像情報送信部１５３ｅとを有する。撮像情報取得部１５３ａは、監視カメラ装置１３１で撮影された乗りかご１３内の撮像情報を取得する。撮像情報記憶部１５３ｂは、撮像情報取得部１５３ａで取得された撮像情報を記憶する。特定撮像情報取得部１５３ｃは、保護回路１５２が動作すると、撮像情報記憶部１５３ｂに記憶された中から、当該動作時の第１期間前から第２期間後までの撮像情報を、保護回路動作時の特定撮像情報として取得する。特定撮像情報記憶部１５３ｄは、特定撮像情報取得部１５３ｃで取得された特定撮像情報を記憶する。特定撮像情報送信部１５３ｅは、保護回路１５２が動作したときに、人感センサ１３２で乗りかご１３に乗車している人が検出されていた場合には、特定撮像情報記憶部１５３ｄに記憶された撮像情報を、サービスセンタ装置３０に送信する。出力部１５４は、保守員の操作により、撮像情報記憶部１５３ｂに記憶された撮像情報、または特定撮像情報記憶部１５３ｄに記憶された特定撮像情報を再生する。
【００１３】
サービスセンタ装置３０は、エレベータ１０から遠隔地のサービスセンタに設置され、エレベータ１０の稼働状態を監視する。
【００１４】
〈一実施形態によるエレベータシステムの動作〉
次に、本実施形態によるエレベータシステム１の動作について説明する。本実施形態において、エレベータシステム１が稼動している間は、乗りかご１３の監視カメラ装置１３１で撮影された撮像情報および人感センサ１３２による検出情報が、逐次テールコード１４を介してエレベータ制御装置１５に送信されている。
【００１５】
これらの情報が逐次取得されている状態で、エレベータ制御装置１５で実行される処理について図２のフローチャートを参照して説明する。エレベータ制御装置１５では、監視カメラ装置１３１から取得された撮像情報がエレベータ監視部１５３の撮像情報取得部１５３ａで取得され、撮像情報記憶部１５３ｂに記憶される（Ｓ１）。また、エレベータ制御装置１５では、監視カメラ装置１３１から取得された人感センサ１３２による検出情報が、エレベータ監視部１５３の特定撮像情報送信部１５３ｅで取得されている。
【００１６】
そして、エレベータ１０内で異常が発生したことにより保護回路１５２が動作すると（Ｓ２の「YES」）、特定撮像情報取得部１５３ｃにより、撮像情報記憶部１５３ｂに記憶された中から、予め設定された第１期間前から第２期間後までの撮像情報が、保護回路１５２動作時の特定撮像情報として取得される。本実施形態においては、第１期間および第２期間が「１０秒」として設定されている。取得された特定撮像情報は、特定撮像情報記憶部１５３ｄに記憶される（Ｓ３）。
【００１７】
これにより、当該エレベータ１０の保守員は、特定撮像情報記憶部１５３ｄに記憶された特定撮像情報の再生を指定する操作を行うのみで、日時情報等から検索する煩雑な処理を要せずに、保護回路１５２が動作したときの乗りかご１３内の撮像情報を出力部１５４で再生させることができる。
【００１８】
また、保護回路が動作したときに、特定撮像情報送信部１５３ｅにおいて、人感センサ１３２で乗りかご１３に乗車している人の検出情報が取得されていたときには、特定撮像情報記憶部１５３ｄに記憶された特定撮像情報が、通信ネットワーク２０を介してサービスセンタ装置３０に送信される（Ｓ５）。サービスセンタ装置３０では、エレベータ制御装置１５から送信された特定撮像情報に基づいて、エレベータ１０の保護回路１５２が動作したときの乗りかご１３内の撮像情報が出力され、保守員はこれを視聴して対応策を判断する。
【００１９】
以上の実施形態によれば、エレベータで異常が発生した際の乗りかご内の撮像情報を、特定撮像情報として抽出して記憶しておくことにより、後から保守員が該当時の撮像情報を簡易かつ確実に再生させて異常発生に関する状況を把握することができる。
【００２０】
上述した実施形態においては、乗車検出装置として人感センサを用いた場合について説明したが、乗りかごに設置された荷重検知装置を乗車検出装置として用い、当該荷重検知装置で検知された荷重量に基づいて、乗りかご１３に乗車している人を検出するようにしてもよい。
【００２１】
また、上述した実施形態において、特定撮像情報取得部１５３ｃは、保護回路１５２が動作したときに、人感センサ１３２で乗りかご１３に乗車している人が検出されていた場合には、第１期間よりも長い第３期間（例えば、３０秒）前から、撮像情報を取得するようにしてもよい。このように処理することにより、突発的な事故ではなく、乗りかご１３内の人のいたずら等により異常が発生した場合に、より長期間の情報から詳細に異常発生に関する状況を把握することができる。
【００２２】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２３】
１…エレベータシステム、１０…エレベータ、１１…巻上げ機、１２…ロープ、１３…乗りかご、１４…テールコード、１５…エレベータ制御装置、２０…通信ネットワーク、３０…サービスセンタ装置、１３１…監視カメラ装置、１３２…人感センサ、１５１…動作制御部、１５２…保護回路、１５３…エレベータ監視部、１５３ａ…撮像情報取得部、１５３ｂ…撮像情報記憶部、１５３ｃ…特定撮像情報取得部、１５３ｄ…特定撮像情報記憶部、１５３ｅ…特定撮像情報送信部、１５４…出力部
【図１】
2020045236.tif 000003
【図２】
2020045236.tif 000004
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
エレベータの乗りかご内を撮影する監視カメラ装置と、前記エレベータ内で異常が発生したときに動作して前記エレベータを停止させる保護回路と、前記乗りかごに乗車している人を検出する乗車検出装置とに接続され、
前記監視カメラ装置で撮影された撮像情報を記憶する撮像情報記憶部と、
前記保護回路が動作すると、前記撮像情報記憶部に記憶された中から、当該動作時の第１期間前から第２期間後までの撮像情報を、前記保護回路動作時の特定撮像情報として取得し、前記保護回路が動作したときに前記乗車検出装置で前記乗りかごに乗車している人が検出されていた場合には、前記第１期間よりも長い第３期間前から、前記撮像情報を特定撮像情報として取得する特定撮像情報取得部と、
前記特定撮像情報取得部で取得された特定撮像情報を記憶する特定撮像情報記憶部と
を備えることを特徴とするエレベータ監視装置。
【請求項２】
前記エレベータから遠隔地に設置されたサービスセンタ装置に接続され、
前記保護回路が動作したときに、前記乗車検出装置で前記乗りかごに乗車している人が検出されていた場合には、前記特定撮像情報記憶部に記憶された特定撮像情報を、前記サービスセンタ装置に送信する特定撮像情報送信部
をさらに備えることを特徴とする請求項１に記載のエレベータ監視装置。
【請求項３】
前記乗車検出装置は、人感センサまたは荷重検知装置で構成される
ことを特徴とする請求項２に記載のエレベータ監視装置。
【請求項４】
エレベータの乗りかご内を撮影する監視カメラ装置で撮影された撮像情報を記憶し、
前記エレベータ内で異常が発生したときに動作して前記エレベータを停止させる保護回路が動作すると、記憶された中から、当該動作時の第１期間前から第２期間後までの撮像情報を、前記保護回路動作時の特定撮像情報として取得して記憶し、前記保護回路が動作したときに、前記乗りかごに乗車している人を検出する乗車検出装置で前記乗りかごに乗車している人が検出されていた場合には、前記第１期間よりも長い第３期間前から、前記撮像情報を特定撮像情報として取得して記憶する
ことを特徴とするエレベータ監視方法。
【手続補正２】
【補正対象書類名】明細書
【補正対象項目名】０００７
【補正方法】変更
【補正の内容】
【０００７】
上記目的を達成するための実施形態によればエレベータ監視装置は、エレベータの乗りかご内を撮影する監視カメラ装置と、エレベータ内で異常が発生したときに動作してエレベータを停止させる保護回路と、乗りかごに乗車している人を検出する乗車検出装置とに接続され、撮像情報記憶部と特定撮像情報取得部と特定撮像情報記憶部とを備える。撮像情報記憶部は、監視カメラ装置で撮影された撮像情報を記憶する。特定撮像情報取得部は、保護回路が動作すると、撮像情報記憶部に記憶された中から、当該動作時の第１期間前から第２期間後までの撮像情報を、保護回路動作時の特定撮像情報として取得し、保護回路が動作したときに乗車検出装置で乗りかごに乗車している人が検出されていた場合には、第１期間よりも長い第３期間前から、撮像情報を特定撮像情報として取得する。特定撮像情報記憶部は、特定撮像情報取得部で取得された特定撮像情報を記憶する。